(57)【要約】  パルセータ洗濯機であって、筐体（１）、外槽（２）及び内槽（３）を含み、外槽（２）は筐体（１）内に配置され、内槽（３）は外槽（２）内に取り付けられ、前記外槽（２）の上部は筐体（１）に固定接続され、筐体（１）内の外槽（２）の下方には外槽（２）の振動を軽減するダンパーが設けられており、前記外槽（２）の上縁は筐体（１）の上部に固定接続され、外槽（２）の側壁と筐体（１）の内壁は間隔を開けて設置される。これによれば、外槽（２）と筐体（１）の間の空間が縮小されるため洗濯機の有効洗浄容積を拡大可能となる。且つ、洗濯機の振動を軽減できるため、より良好な制振効果が達成される。また、洗濯機が省エネ且つ節水となり、騒音が小さくなるほか、低コストとなる。【選択図】図１
2020508105.tif 000002
【特許請求の範囲】
【請求項１】
筐体、外槽及び内槽を含み、外槽が筐体内に配置され、内槽が外槽内に取り付けられるパルセータ洗濯機において、
前記外槽の上部は筐体に固定接続され、筐体内の外槽の下方には外槽の振動を軽減するダンパーが設けられていることを特徴とするパルセータ洗濯機。
【請求項２】
前記外槽の上縁は筐体の上部に固定接続され、外槽の側壁と筐体の内壁は間隔を開けて設置されることを特徴とする請求項１に記載のパルセータ洗濯機。
【請求項３】
前記外槽の上縁は外側に折り返されて折り返し部を形成し、前記折り返し部が筐体の上端部を覆ってこれに固定接続され、
好ましくは、折り返し部と筐体が固定及びリベット接合されることを特徴とする請求項１又は２に記載のパルセータ洗濯機。
【請求項４】
前記折り返し部は、外槽の上縁が筐体に向かって水平に延伸して形成され、外槽の側壁と筐体の内壁とを間隔を開けて設置するための水平部を含むことを特徴とする請求項３に記載のパルセータ洗濯機。
【請求項５】
前記折り返し部は、水平部が筐体の外側まで延伸した後に下方に向かって垂直に延伸して形成される垂直部を更に含み、
好ましくは、前記筐体の上部の側壁には外側に向かって突出する環状の突出リブが設けられており、前記垂直部の端部が環状の突出リブに当接することを特徴とする請求項４に記載のパルセータ洗濯機。
【請求項６】
パルセータ洗濯機のパネルベースが筐体に固定装着され、外槽の上縁がパネルベースと筐体の間に固定され、
好ましくは、パネルベースの辺縁が外槽の折り返し部を覆うとともに、筐体における環状の突出リブに当接することを特徴とする請求項５に記載のパルセータ洗濯機。
【請求項７】
前記筐体は筐体の強度を強化する固定フレームを含み、前記外槽の上縁は固定フレームに固定され、
好ましくは、前記固定フレームと外槽が接する部位に、外槽の上縁と係合する凹溝が設けられていることを特徴とする請求項１〜６のいずれかに記載のパルセータ洗濯機。
【請求項８】
筐体内の底部にはモータが設けられており、ダンパーはモータに設けられる第１ダンパーを含むことを特徴とする請求項１〜７のいずれかに記載のパルセータ洗濯機。
【請求項９】
前記第１ダンパーは制振バネであり、前記制振バネは、一端がモータの固定子に固定接続され、他端が筐体の底壁に固定接続され、
好ましくは、制振バネは少なくとも２つ設けられ、モータの固定子の外周には環状プレートが設けられており、制振バネは環状プレートに取り付けられるとともに、モータの軸線を中心とする同一円周上に均一に分布していることを特徴とする請求項８に記載のパルセータ洗濯機。
【請求項１０】
筐体内の底部にはモータが設けられており、モータの上方には減速クラッチ装置が設けられており、前記ダンパーは、減速クラッチ装置又は外槽の底部に設けられる第２ダンパーを更に含むことを特徴とする請求項１〜９のいずれかに記載のパルセータ洗濯機。
【請求項１１】
前記第２ダンパーは装着プレートと緩衝器を含み、装着プレートが減速クラッチ装置に固定接続され、前記緩衝器は一端が装着プレートに回動接続され、他端が筐体の底部に回動接続され、
好ましくは、緩衝器の両端が装着プレートと筐体の底部にそれぞれヒンジ接続され、
好ましくは、前記緩衝器は少なくとも２つ設けられ、減速クラッチ装置の軸線を中心とする円周上に均一に取り付けられることを特徴とする請求項１０に記載のパルセータ洗濯機。
【発明の詳細な説明】
【技術分野】
【０００１】
本発明は洗濯機の分野に属し、具体的にはパルセータ洗濯機に関する。
【背景技術】
【０００２】
全自動パルセータ洗濯機は、内槽、貯水槽及び外側の筐体からなる。内槽は、相対的に回転可能に貯水槽と同心に嵌装される。貯水槽は懸架ロッドを介して可動に外側の筐体内に取り付けられる。また、貯水槽の底部には、衣類の洗浄・脱水を駆動する減速クラッチがネジにより装着及び接続されている。モータは減速クラッチに偏心して取り付けられる。且つ、モータの出力軸にベルトプーリが装着されており、ベルトによってモータと減速クラッチの入力端が接続される。しかし、このように構成される洗濯機は構造が複雑である。また、騒音が大きく、低効率、高コストである。内槽と貯水槽の間には一定の間隔を確保する必要があり、貯水槽と筐体の間には一定の間隔が置かれる。懸架ロッド等のユニットが存在することから、貯水槽と筐体の間に必要な空間サイズは大きくなりがちであり、有効洗浄容積が小さくなってしまう。
【０００３】
目下のところ、同軸駆動の洗濯機を研究する技術が存在し、モータと減速クラッチ構造及び洗浄・脱水槽、パルセータを同軸で取り付けることで空間や材料を節約している。この種の構造には、良好な制振技術が必要とされる。特許文献１は、同軸駆動の全自動洗濯機を開示している。該機器には貯水槽が設けられておらず、底部が封止された筐体が貯水槽の機能を兼ね備える。また、モータと減速クラッチ構造及び洗浄・脱水槽、パルセータが同軸に取り付けられる。一方、特許文献２は、上部カバー、筐体及び内槽を含むパルセータ式全自動洗濯機を開示している。前記内槽の底の底面には円環リブが設けられており、前記内槽全体が内槽底を介して減速クラッチ駆動装置に装着及び支持される。前記減速クラッチ駆動装置の上部は内槽の底部を貫通するとともに、パルセータが可動に設けられている。また、前記の貯水機能を有する筐体の下面にはベースが接続されている。前記減速クラッチ駆動装置は密封可能に筐体を貫通し、支持制振バネを介してベースに取り付けられている。前記筐体の底部には排水口が設けられ、前記排水口はベースを貫通する排水管に排水弁を介して連通している。
【０００４】
上記２つの技術ではいずれも貯水槽を排除し、筐体を貯水槽として利用することで一定の空間とコストを節約している。しかし、筐体が四角形であるのに対し洗浄・脱水槽は円柱型のため、これらの間の空間が過度に大きくなる結果、大量の洗浄水が無駄となる。且つ、これら２つの方案ではダンパーがベース上における垂直の支持制振バネに設けられるため、洗濯機の軸方向の振動のみを軽減可能であり、洗濯機の左右の振動については軽減不可能である。
【０００５】
上記に鑑みて、本発明を提案する。
【先行技術文献】
【特許文献】
【０００６】
【特許文献１】中国特許出願第２０１５１０４９０７４１．７号明細書
【特許文献２】中国特許出願第２０１５２０８５９７１４．８号明細書
【発明の概要】
【発明が解決しようとする課題】
【０００７】
本発明は、従来技術における瑕疵を解消し、洗濯機の外槽上縁が筐体に固定接続され、外槽と筐体の間の空間を縮小することで洗濯機の有効洗浄容積を拡大可能であり、且つ、外槽底部の減速クラッチ装置及びモータにダンパーを多重に設けることで連動作用により洗濯機の振動を軽減可能とし、より良好な制振効果を達成するパルセータ洗濯機を提供することを解決すべき技術的課題とする。本発明におけるパルセータ洗濯機は有効洗浄容積が大きく、省エネ且つ節水となる。また、騒音が小さく、低コストであり、制振効果が良好である。
【課題を解決するための手段】
【０００８】
上記の技術的課題を解決すべく、本発明で採用する技術方案の基本思想について以下に述べる。
【０００９】
本発明の目的は、筐体、外槽及び内槽を含み、外槽が筐体内に配置され、内槽が外槽内に取り付けられ、前記外槽の上部は筐体に固定接続され、筐体内の外槽の下方には外槽の振動を軽減するダンパーが設けられているパルセータ洗濯機を提供することである。
【００１０】
更なる方案として、前記外槽の上縁は筐体の上部に固定接続され、外槽の側壁と筐体の内壁は間隔を開けて設置される。
【００１１】
更なる方案として、前記外槽の上縁は外側に折り返されて折り返し部を形成し、前記折り返し部が筐体の上端部を覆ってこれに固定接続され、好ましくは、折り返し部と筐体が固定及びリベット接合される。
【００１２】
更なる方案として、前記折り返し部は、外槽の上縁が筐体に向かって水平に延伸して形成され、外槽の側壁と筐体の内壁とを間隔を開けて設置するための水平部を含む。
【００１３】
更なる方案として、前記折り返し部は、水平部が筐体の外側まで延伸した後に下方に向かって垂直に延伸して形成される垂直部を更に含み、好ましくは、前記筐体の上部の側壁には外側に向かって突出する環状の突出リブが設けられており、前記垂直部の端部が環状の突出リブに当接する。
【００１４】
更なる方案として、パルセータ洗濯機のパネルベースが筐体に固定装着され、外槽の上縁がパネルベースと筐体の間に固定され、好ましくは、パネルベースの辺縁が外槽の折り返し部を覆うとともに、筐体における環状の突出リブに当接する。
【００１５】
更なる方案として、前記筐体は筐体の強度を強化する固定フレームを含み、前記外槽の上縁は固定フレームに固定され、好ましくは、前記固定フレームと外槽が接する部位に外槽の上縁と係合する凹溝が設けられている。
【００１６】
更なる方案として、筐体内の底部にはモータが設けられており、ダンパーはモータに設けられる第１ダンパーを含む。
【００１７】
更なる方案として、前記第１ダンパーは制振バネであり、前記制振バネは一端がモータの固定子に固定接続され、他端が筐体の底壁に固定接続され、好ましくは、制振バネは少なくとも２つ設けられ、モータの固定子の外周には環状プレートが設けられており、制振バネは環状プレートに取り付けられるとともに、モータの軸線を中心とする同一円周上に均一に分布している。
【００１８】
更なる方案として、筐体内の底部にはモータが設けられており、モータの上方には減速クラッチ装置が設けられており、前記ダンパーは、減速クラッチ装置又は外槽の底部に設けられる第２ダンパーを更に含む。
【００１９】
更なる方案として、前記第２ダンパーは装着プレートと緩衝器を含み、装着プレートが減速クラッチ装置に固定接続され、前記緩衝器は一端が装着プレートに回動接続され、他端が筐体の底部に回動接続され、好ましくは、緩衝器の両端が装着プレートと筐体の底部にそれぞれヒンジ接続され、好ましくは、前記緩衝器は少なくとも２つ設けられ、減速クラッチ装置の軸線を中心とする円周上に均一に取り付けられる。
【発明の効果】
【００２０】
上記の技術方案を用いることで、本発明は従来技術と比較して以下の有益な効果を有する。
【００２１】
１．本発明のパルセータ洗濯機は、外槽と筐体の間における懸架ロッド等の制振ユニットを除去しているため、外槽と筐体の間の空間が大幅に節約される。また、外槽の上縁は外側に折り返される。折り返し部は直接的又は間接的に筐体に固定され、且つ、内槽と筐体の間に適切な衝突防止空間が予め確保される。内槽と筐体をこのような方式で接続することで、洗濯機の内部空間が大幅に節約され、洗浄容積を拡大するための多くの空間が確保される。且つ、適切な衝突防止空間が予め確保されるとともに、省エネ及び節水が可能となる。
【００２２】
２．本発明におけるパルセータ洗濯機の外槽底部と筐体底部の間には、内槽の洗浄及び脱水を駆動するモータ及び減速クラッチ装置が設けられている。モータと減速クラッチ装置にはダンパーがそれぞれ設けられており、且つ、ダンパーは筐体の底部に固定接続されている。ダンパーは第１ダンパー及び第２ダンパーを含み、且つ、外槽の軸線を中心とする円周上に設けられている。これらが連動して作用することでより良好な制振効果が達成され、騒音が小さくなるとともに、運転が安定する。
【００２３】
３．本発明におけるパルセータ洗濯機の内槽には孔無し内槽を採用し、内槽の上部にのみ脱水孔を設けている。よって、内槽と外槽の間に洗浄水が存在せず、節水になるとの特性を有する。また、排水及び／又は脱水過程では第１排水口が開放され、大部分の水及び沈殿物が下部の第１排水口から外槽へと排出される。衣類内の水は、内槽の高速回転による脱水時に内槽上部の脱水孔から外槽へと排出され、外槽底部の第２排水口、排水管から洗濯機の外部に直接排出される。これにより、高速排水が実現されるとともに、排水及び汚染排出効果が良好となる。
【００２４】
４．本発明におけるパルセータ洗濯機の内槽底部にはロック機構が設けられており、内槽を位置決め及びロックする。且つ、弁体の開閉により排水するため、排水が高速化し、漏水が防止される。
【００２５】
以下に、図面を組み合わせて本発明の具体的実施形態について更に詳細に述べる。
【００２６】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２７】
【図１】図１は、本発明のパルセータ洗濯機の構造を示す図である。
【図２】図２は、図１のＡ領域の部分拡大図である。
【図３】図３は、本発明における固定フレーム構造を示す図である。
【発明を実施するための形態】
【００２８】
なお、これらの図面及び文字記載は何らかの方式で本発明の構想の範囲を制限するとの意図ではなく、特定の実施例を参照して当業者に本発明の概念を説明するためのものである。
【００２９】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００３０】
本発明の記載において、「上」、「下」、「前」、「後」、「左」、「右」、「垂直」、「内」、「外」等の用語で示される方向又は位置関係は、図面に基づく方向又は位置関係であり、本発明の記載の便宜上及び記載の簡略化のためのものにすぎず、対象となる装置又は部材が特定の方向を有し、且つ特定の方向で構成及び操作されることを明示又は暗示するものではない。よって、本発明を制限するものと理解すべきではない。
【００３１】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３２】
図１〜図３に示すように、本発明の目的は、筐体１、外槽２及び内槽３を含むパルセータ洗濯機を提供することである。外槽２は筐体１内に配置されており、内槽３が外槽２内に取り付けられている。前記外槽２の上部は筐体１に固定接続され、筐体１内の外槽２の下方には外槽２の振動を軽減するダンパーが設けられている。
【００３３】
本発明のパルセータ洗濯機は、筐体１、外槽２及び内槽３を含む。外槽２は筐体１内に配置され、内槽３が外槽２内に取り付けられている。これら３つは同軸線となるよう設置可能である。筐体１と外槽２の間からは、従来のパルセータ洗濯機に取り付けられていた懸架ロッド制振ユニットを除去している。且つ、外槽２の上部を筐体１に固定接続し、外槽２の底部下方における筐体１内にダンパーを設けている。これにより、外槽２と筐体１の間の空間を大幅に節約し、内槽３を取り付けるためのより大きな空間を確保することで、実際の洗浄容積を拡大しつつ、外槽２の振動を軽減するとの目的を達成可能としている。
【００３４】
本発明の筐体１はパルセータ洗濯機の外観を形成する。筐体１は、内外ともに四角形としてもよいし、外輪郭は四角形であるが内部は円柱型の筐体１としてもよい。また、筐体１と外槽２の間の隙間をできるだけ縮小するために、外槽２は円柱型となるよう設けてもよいし、略楕円形の不規則形状としてもよい。パルセータ洗濯機の内槽３は孔無し内槽３としてもよいし、通常の孔付き内槽３としてもよい。筐体１の内壁と外壁をいずれも四角形とする場合、外槽２はできるだけ筐体１の各側壁に近接するような不規則形状とすればよい。また、筐体１の内部を円柱型とする場合、外槽２は円柱型とすればよい。
【００３５】
外槽２の上部は、外槽２の側壁又は辺縁を外側に延伸させて筐体１に固定接続するというように、筐体１に対し直接的に固定接続してもよいし、固定接続ロッド又は固定接続プレート等を介して筐体１に固定接続するというように、筐体１に対し間接的に固定接続してもよい。筐体１と外槽２には、ボルト接続、リベット接合、溶接等の様々な固定接続を適用可能であり、外槽２の上部と筐体１との固定接続を実現でき、且つ一定の隙間２４を確保できればよい。
【００３６】
外槽２の底部下方と筐体１の底壁との間には、洗濯機の内槽３とパルセータ１８を回動させて、洗浄、脱水等の機能を実現するモータ１４及び減速クラッチ装置９が設けられている。モータ１４は筐体１の底部に取り付けられている。減速クラッチ装置９は、モータ１４の上方に装着されるとともに、減速クラッチ装置９に軸接続される。減速クラッチ装置９の出力軸は外槽２の底部を貫通して内槽３及びパルセータ１８に接続される。ダンパーは外槽２下方の筐体１内に設けられ、外槽２の外底壁に直に設けてもよいし、減速クラッチ装置９に設けてもよいし、モータ１４に設けてもよいし、複数の位置に複数のダンパーを設けてもよい。また、本発明のダンパーは１種類としてもよいし、制振バネ、緩衝器１２、制振パッドなど複数種類を設けてもよい。複数種類のダンパーが連動して制振作用を奏すれば、より良好な制振効果が達成される。
【００３７】
更なる方案として、前記外槽２の上縁を筐体１の上部に固定接続する。外槽２の側壁と筐体１の内壁は間隔を開けて設置される。
【００３８】
外槽２の上縁と筐体１の上部を固定接続し、且つ外槽２の側壁と筐体１の内壁の間に隙間２４を形成することで、適切な衝突防止空間が予め確保されるため、外槽２と筐体１の衝突が回避される。外槽２の上縁と筐体１の上部を固定接続する方式を採用することで、外槽２の加工が容易になるとともに、外槽２と筐体１の取り付け及び固定も容易となる。また、全体として外槽２の側壁と筐体１の内壁の間に隙間２４が備わることで、衝突が防止される。外槽２の上縁と筐体１の上部を固定接続するためには、様々な方式を採用可能である。例えば、外槽２の上縁を筐体１の上縁まで外側に延伸して筐体１の上縁に固定接続するか、外槽２の上縁を外側に延伸して筐体１の上部を覆い、筐体１の側壁に固定接続する。どのような方式であっても、外槽２の上縁と筐体１の固定を実現可能であり、且つ、衝突を防止可能な隙間２４が形成されればよい。
【００３９】
更なる方案として、前記外槽２の上縁は外側に折り返されて折り返し部５を形成し、前記折り返し部５が筐体１の上端部を覆ってこれに固定接続される。好ましくは、折り返し部５と筐体１は固定及びリベット接合される。
【００４０】
本方案における外槽２の上縁は外側に折り返されて折り返し部５を形成し、折り返し部５が筐体１の上端部を覆って筐体１に固定接続される。このような方式の外槽２を組み付ける場合には、折り返し部５を筐体１に引っ掛ければよい。折り返し部５は筐体１の上端部全体を覆ってもよいし、筐体１と外槽２が接する位置を覆ってもよく、水平方向にリベット又はボルトで接続する。この種の外槽２と筐体１の固定方式は力を受ける支持点が多くなるため固定効果に優れ、変形しにくく、容易には破損しない。また、使用時の着脱が容易である。
【実施例２】
【００４１】
図１〜３に示すように、本実施例における外槽２の上縁は、外側に折り返されて折り返し部５を形成する。折り返し部５は、外槽２の上縁が筐体１に向かって水平に延伸して形成され、外槽２の側壁と筐体１の内壁とを間隔を開けて設置するための水平部６を含む。
【００４２】
外槽２は筐体１内に設けられる。外槽２の上縁における水平部６は、対応する筐体１に向かう方向に外槽２の上縁が水平に延伸して形成される。水平部６は外槽２と筐体１の間に横向きに配置され、外槽２と筐体１の間の隙間２４を形成することで、外槽２と筐体１の衝突を回避可能とする。
【００４３】
更なる限定として、折り返し部５は、水平部６が筐体１の外側まで延伸した後に下方に向かって垂直に延伸して形成される垂直部７を更に含む。
【００４４】
外槽２の水平部６が対応位置の筐体１の外側まで水平に延伸し、筐体１の外壁と面一となった後に、下方に向かって垂直に屈曲及び延伸することで垂直部７が形成される。これにより、水平部６が衝突を防止可能とする隙間２４を形成し、且つ、垂直部７と水平部６との接続部が筐体１の上縁に当接可能となる。垂直部７は筐体１の上端を覆い、リベット又はボルト等で垂直部７と筐体１の側壁を固定することで、良好な固定効果を達成可能となる。
【００４５】
更なる限定として、筐体１の上部の側壁には外側に向かって突出する環状の突出リブ８が設けられており、前記垂直部７の端部が環状の突出リブ８に当接する。
【００４６】
筐体１の上部における環状の突出リブ８は、筐体１の側壁から外側に向かって突出するよう形成してもよいし、筐体１の上端に固定接続される環状の突出リブ８としてもよい。外槽２の上縁における垂直部７は筐体１の外側壁に密着し、端部が環状の突出リブ８に当接する。これにより、外槽２を筐体１の上部に固定するためのもう一つの支持点を提供可能となるため、受ける力が分散されて安定効果が増す。また、垂直部７と筐体１に滑らかな平面を形成可能となるため、引っ掛かりが回避されるとともに、見た目がよくなる。
【００４７】
更なる方案として、パルセータ洗濯機のパネルベース４が筐体１に固定装着され、外槽２の上縁がパネルベース４と筐体１の間に固定される。
【００４８】
組み付け時には、外槽２が筐体１内に配置され、外槽２の上縁における折り返し部５が筐体１の上端を覆う。このとき、垂直部７と筐体１をリベット接合により固定可能となる。そして、洗濯機のパネルベース４を筐体１の上部に取り付けることで、パネルベース４の辺縁により外槽２の上縁の折り返し部５を覆ってから、パネルベース４を筐体１と外槽２に対しリベット接合により固定する。この方式によれば、外槽２の上縁がパネルベース４と筐体１の間に固定及び隠匿されるため、抜け出すことがない。且つ、外槽２と筐体１との固定効果が更に強化される。
【００４９】
本方案の更なる限定として、パネルベース４の辺縁は外槽２の折り返し部５を覆うとともに、筐体１における環状の突出リブ８に当接する。環状の突出リブ８の上面の幅は、外槽２の垂直部７の厚さとパネルベース４の辺縁の厚さの和に等しい。パネルベース４は筐体１に取り付けられると、垂直部７を完全に覆いつつ環状の突出リブ８に当接する。これにより、美しい外観が形成されるとともに、支持点が増加して固定効果が増す。
【実施例３】
【００５０】
図１に示すように、本実施例は、実施例１又は実施例２を更に限定する。筐体１内の底部にはモータ１４が設けられ、モータ１４の上方に減速クラッチ装置９が設けられている。また、減速クラッチ装置９は外槽２の底部に固定される。減速クラッチ装置９の出力軸は内槽３の底部を貫通して洗濯機のパルセータ１８に接続される。
【００５１】
筐体１内の外槽２の下方には外槽２の振動を軽減するダンパーが設けられている。ダンパーは、モータ１４に設けられる第１ダンパー１０を含む。第１ダンパー１０は制振バネであり、制振バネは垂直に設けられる。制振バネは、一端がモータ１４の固定子１５に固定接続され、他端が筐体１の底壁に固定接続される。
【００５２】
モータ１４が動作する際に、制振バネは軸の回動に伴うモータ１４の振動を緩和可能である。好ましくは、制振バネは少なくとも２つ設けられる。また、モータ１４の固定子１５の外周には環状プレート１６が設けられている。制振バネは環状プレート１６に取り付けられるとともに、モータ１４の軸線を中心とする同一円周上に均一に分布している。制振バネは同一円周上に対称に設けられ、４個、６個、８個等を設けて受ける力を分散し、良好な制振効果を達成してもよい。
【００５３】
更なる方案として、ダンパーは、減速クラッチ装置９又は外槽２の底部に設けられる第２ダンパー１３を更に含む。第２ダンパー１３は装着プレート１１と緩衝器１２を含み、装着プレート１１が減速クラッチ装置９に固定接続される。前記緩衝器１２は一端が装着プレート１１に回動接続され、他端が筐体１の底部に回動接続される。
【００５４】
減速クラッチ装置９は、減速クラッチとすればよい。装着プレート１１の中心は減速クラッチのケーシング又は軸受ハウジングに覆設及び固定される。緩衝器１２は一端が装着プレート１１にヒンジ接続され、他端が筐体１の底部にヒンジ接続されるか、筐体１の底部に設けられるベースにヒンジ接続される。
【００５５】
更なる限定として、緩衝器１２は少なくとも２つ設けられ、減速クラッチ装置９又は装着プレート１１の軸線を中心とする円周上に均一に取り付けられる。緩衝器１２は対となるよう取り付けられるとともに、対称に設けられる。且つ、装着プレート１１の同一円周上に均一に分布して受ける力を分散可能なことから、良好な制振効果を達成する。
【００５６】
本実施例における第１ダンパー１０及び第２ダンパー１３は、減速クラッチ装置９又はモータ１４の軸線を中心とする同一直径又は異なる直径の円周上に設ければよい。緩衝器１２と制振バネが連動して作用することで多重に制振されるため、より良好な制振効果が達成される。好ましくは、緩衝器１２と制振バネを異なる円周上に設ける。これにより、いっそう広範囲において受ける力が分散されるため、より良好な制振効果が達成される。
【実施例４】
【００５７】
図１に示すように、本実施例は、実施例１又は実施例２又は実施例３を更に限定する。本実施例の内槽３は、上部のみに排・脱水孔１７を有する孔無し内槽３である。内槽３の上方にはバランスリングが設けられている。また、内槽３の底部には、排水のための第１排水口２１と、内槽３をロックするためのものであって内槽３とは連通しないロック穴が設けられている。外槽２の底部には、ロック機構１９、排水のための第２排水口２２、及び第１排水口２１の開／閉を制御するための排水制御構造が設けられている。
【００５８】
排水制御構造は伸縮可能な弁体２０を含む。弁体２０は周方向に固定されている。弁体２０が上方へ運動して第１排水口２１を覆うと、第１排水口２１が閉止されるよう制御される。また、前記弁体２０が下方に運動して第１排水口２１から離脱すると、第１排水口２１が開放されるよう制御される。ロック機構１９は、伸縮可能なロックロッドを含み、前記ロックロッドは周方向に固定される。洗浄、すすぎ時には、ロックロッドが上方へ運動してロック穴に伸入し、内槽３が回動不可能にロックされるとともに、第１排水口２１が閉止される。また、脱水時には前記ロックロッドが下方に運動してロック穴から離脱し、内槽３が周方向に回動可能となることで内部の衣類を脱水する。
【００５９】
洗浄時には第１排水口２１が閉止され、内槽３と外槽２の間には水が存在することなく、内槽３にのみ水が存在する。洗浄が終了すると第１排水口２１が開放され、大部分の水が第１排水口２１から排出される。脱水時には内槽３が回動し、衣類から排出された水が遠心力の作用で槽壁沿いに上昇する。そして、内槽３の上部における脱水孔１７を通じて内槽３から内槽と外槽２の間に排出されてから、外槽２の第２排水口２２から排出される。このように、洗浄時には洗浄水が内槽３にのみ蓄えられ、内槽と外槽２の間には洗浄水が存在しないため、節水になるとの特性を有する。また、排水及び／又は脱水過程では第１排水口２１が開放され、大部分の水及び泥砂、粒子等の沈殿物が下部の第１排水口２１から外槽２へと排出される。また、衣類内の水は、内槽３の高速回転による脱水時に内槽３上部の脱水孔１７から外槽２へと排出され、外槽２底部の第２排水口２２、排水管２３から洗濯機の外部に直接排出される。これにより、高速排水が実現されるとともに、排水及び汚染排出効果が良好となる。
【実施例５】
【００６０】
図３に示すように、本実施例は実施例２と以下の点において異なる。即ち、本実施例のパルセータ１８洗濯機の筐体１は、筐体１の強度を強化する固定フレーム２５を含み、筐体１内の外槽２の上縁が固定フレーム２５に固定される。固定フレーム２５は剛性に優れるため、外槽２及び内槽３の重量をより良好に支持可能である。よって、固定効果が良好となり、変形しにくい。
【００６１】
固定フレーム２５は四角形の固定フレーム２５としてもよいし、円柱型の固定フレーム２５としてもよい。固定フレーム２５は筐体１内に位置し、筐体１と一体成型してもよいし、筐体１に固定接続してもよい。固定フレーム２５を四角形の固定フレーム２５とする場合、外槽２の上縁は外側に折り返されて折り返し部５を形成し、折り返し部５が固定フレーム２５と外槽２が接する部位を覆う。折り返し部５は固定フレーム２５を覆い、固定フレーム２５に固定及びリベット接合される。
【００６２】
更なる方案として、固定フレーム２５には外槽２の上縁と係合する凹溝が設けられている。外槽２の上縁における折り返し部５は凹溝に挿入され、固定フレーム２５に固定接続される。このような方式によれば、接続箇所が洗濯機の内部に隠匿されるため、固定接続効果を保証しつつ見た目の美しさが保証される。
【００６３】
以上の実施例の方案は単独で実施してもよいし、任意に組み合わせて実施してもよい。以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００６４】
１    筐体
２    外槽
３    内槽
４    パネルベース
５    折り返し部
６    水平部
７    垂直部
８    環状の突出リブ
９    減速クラッチ装置
１０  第１ダンパー
１１  装着プレート
１２  緩衝器
１３  第２ダンパー
１４  モータ
１５  固定子
１６  環状プレート
１７  脱水孔
１８  パルセータ
１９  ロック機構
２０  弁体
２１  第１排水口
２２  第２排水口
２３  排水管
２４  隙間
２５  固定フレーム
【図１】
2020508105.tif 000003
【図２】
2020508105.tif 000004
【図３】
2020508105.tif 000005
【国際調査報告】
2020508105.tif 000006
2020508105.tif 000007
2020508105.tif 000008
2020508105.tif 000009
2020508105.tif 000010